(57)【要約】【課題】  クリップが十分な把持力を得るためには、Ｌ字状板バネの第２部分の長さが十分に必要である。しかし、その十分な長さの取り付け孔を形成するために、クリップベースを軸筒の側面から延設することは、ボールペンやシャープペンといった一般的な筆記具では困難であり、ややもするとクリップベースの高さが異常に高くなってしまったり、軸筒の直径が太くなったりしてしまい、見栄えの悪いものになってしまっていた。【解決手段】  軸筒にクリップを回転可能に構成した軸筒へのクリップ取り付け構造であって、前記クリップを弾性部材によって軸筒に付勢させたクリップ取り付け構造において、前記弾性部材の前方部をクリップと軸筒との回転部よりも前方に配置すると共に、弾性部材の後方部をクリップと軸筒との回転部よりも後方に配置し、また、前記弾性部材の前方部と後方部とでなす軸筒側における角度を９０度以上としたクリップ取り付け構造。【選択図】  図１
2014148085.tif 000002
【特許請求の範囲】
【請求項１】
軸筒にクリップを回転可能に構成した軸筒へのクリップ取り付け構造であって、前記クリップを弾性部材によって軸筒に付勢させたクリップ取り付け構造において、前記弾性部材の前方部をクリップと軸筒との回転部よりも前方に配置すると共に、弾性部材の後方部をクリップと軸筒との回転部よりも後方に配置し、また、前記弾性部材の前方部と後方部とでなす軸筒側における角度を９０度以上としたクリップ取り付け構造。
【請求項２】
前記クリップとの回転部を弾性部材によって構成した請求項１記載のクリップ取り付け構造。
【請求項３】
前記弾性部材は、単一の線材で前方部と後方部、並びに、それら前方部と後方部とを連結する中間部分がコイル形状を成す一対のねじりコイルバネ形状とした請求項１、或いは、請求項２に記載のクリップ取り付け構造。  
【請求項４】
前記弾性部材の前方部をクリップに形成した取付孔に挿着した請求項１〜請求項３の何れかに記載のクリップ取り付け構造。
【発明の詳細な説明】
【技術分野】
【０００１】
本発明は、軸筒にクリップを回転可能に構成したクリップ取り付け構造に関するものである。
【背景技術】
【０００２】
これまで、軸筒にクリップを回転可能に構成し、そのクリップの前方部を軸筒の軸心方向に付勢した筆記具のクリップ取り付け構造において、様々な方法が考えられている。
【０００３】
特許文献1の請求項１に記載の構成によれば、「クリップが被取付部材のクリップベース部に揺動可能に軸支されると共に、互いに角度をなすように設けられた第１部分と第２部分とを備えて第１部分と第２部分とのなす角度が弾性的に変化可能となった弾性部材の第１部分がクリップに沿って設けられ、第２部分がクリップベース部に固定されて、前記弾性部材の弾性力により、クリップの一端部と被取付部材との間で挟着力を発生させる」とある。
【先行技術文献】
【特許文献】
【０００４】
【特許文献１】特開２００９−１２２２１
【発明の概要】
【発明が解決しようとする課題】
【０００５】
また、クリップの被取付部材への組み立て方法としては、「クリップを被取付部材に前方から接近させて、クリップの凸部を被取付部材の誘導溝に沿って移動させて、貫通孔に嵌合して、クリップを被取付部材のクリップベース部に取り付ける。次いで、Ｌ字状板バネをクリップの表側から貫通孔に通して差し込み、Ｌ字状板バネの第２部分をクリップベースの取付孔に押し入れる。」と記載されており、そのＬ字状板バネの第２部分を押し入れるクリップベースの外径側に形成された取付孔は、径方向に伸びている。
【０００６】
クリップが十分な把持力を得るためには、Ｌ字状板バネの第２部分の長さが十分に必要である。しかし、その十分な長さの取付孔を形成するために、クリップベースを軸筒の側面から延設することは、ボールペンやシャープペンといった一般的な筆記具では困難であり、ややもするとクリップベースの高さが異常に高くなってしまったり、軸筒の直径が太くなったりしてしまい、見栄えの悪いものになってしまっていた。
【課題を解決するための手段】
【０００７】
本発明は、軸筒にクリップを回転可能に構成した軸筒へのクリップ取り付け構造であって、前記クリップを弾性部材によって軸筒に付勢させたクリップ取り付け構造において、前記弾性部材の前方部をクリップと軸筒との回転部よりも前方に配置すると共に、弾性部材の後方部をクリップと軸筒との回転部よりも後方に配置し、また、前記弾性部材の前方部と後方部とでなす軸筒側における角度を９０度以上としたことを要旨する。
【発明の効果】
【０００８】
本発明によれば、軸筒にクリップを回転可能に構成した軸筒へのクリップ取り付け構造であって、前記クリップを弾性部材によって軸筒に付勢させたクリップ取り付け構造において、前記弾性部材の前方部をクリップと軸筒との回転部よりも前方に配置すると共に、弾性部材の後方部をクリップと軸筒との回転部よりも後方に配置し、また、前記弾性部材の前方部と後方部とでなす軸筒側における角度を９０度以上としているので、クリップベースの高さを低くすることができると共に、軸筒を細くすることができ、見栄の良い筆記具を提供することができる。
【図面の簡単な説明】
【０００９】
【図１】（ａ）本発明の側面図            （ｂ）図１（ａ）の要部縦断面図            （ｃ）図１（ａ）のＡ−Ａ線断面図
【図２】（ａ）軸筒の側面図            （ｂ）図２（ａ）の上面図            （ｃ）軸筒の外観斜視図
【図３】（ａ）クリップの側面図            （ｂ）図３（ａ）の下面図            （ｃ）図３（ｂ）のＢ−Ｂ線断面図
【図４】（ａ）弾性部材の側面図            （ｂ）弾性部材の上面図            （ｃ）弾性部材の外観斜視図
【図５】クリップと弾性部材の組立説明図
【図６】軸筒と弾性部材を嵌め込んだクリップの組立説明図
【図７】（ａ）第２例の側面図            （ｂ）図７（ａ）の要部縦断面図            （ｃ）図７（ａ）のＡ−Ａ線断面図
【図８】（ａ）第２例の軸筒の側面図            （ｂ）図８（ａ）の上面図            （ｃ）第２例の軸筒の外観斜視図
【図９】（ａ）第２例のクリップの側面図            （ｂ）図９（ａ）の下面図            （ｃ）図９（ｂ）のＢ−Ｂ線断面図
【図１０】（ａ）第２例の弾性部材の側面図              （ｂ）第２例の弾性部材の上面図              （ｃ）第２例の弾性部材の外観斜視図
【図１１】その他の弾性部材の外観斜視図
【発明を実施するための形態】
【００１０】
本発明のクリップ取り付け構造を図１〜図５に１例を示し説明する。
軸筒１は筒状であり、その内部には、ボールペンやシャープペンなどの筆記体が配されている。また、本例の軸筒１は筒状であるが、一方を閉塞した有底のいわゆるキャップでも構わない。なお、本発明は、軸筒１の内部に構成される前記筆記体には直接影響しないため、その筆記体の具体的な説明を省略する。
以下、具体的に説明するが、説明する中で前とは、軸筒１の中心軸に沿って、クリップ１１の回転中心軸からクリップ１１先端の玉部１４に向かう方向を指し、後とはその逆を指すこととし、上とは軸筒１の中心から外径方向に離れた方向を指し、下とはその逆方向（軸筒１の中心に向かう方向）を指すこととする。
【００１１】
軸筒１の表面には、上方向に突出したクリップベース部２が形成されている。該クリップベース部２の土台であるベース台３の後方にはクリップ１１及び弾性部材２１を支持する支持体４が形成されており、前方には軸筒１にクリップ１１を組み付けた際のクリップ１１の横方向への振れを防止するガタ防止凸部５が形成されている。また、支持体４の両側面にはクリップ１１が回転可能に配設されるための回転支持軸６が形成されている。該回転支持軸６の頭部の上半分は、上方向に連続して突起幅を小さくした導入テーパ部９が設けてある。
前記ベース台３は、支持体４の両側面に形成された回転支持軸６よりも後方に弾性部材２１の第２部分２３が当接する傾斜部８が形成され、一方、ベース台３の前方には回転支持軸６の外周に合わせて、クリップ１１、弾性部材２１が軸筒１に配設された際に干渉しないように形成されており、干渉しなければどのような形状でも構わない。
また、前記支持体４の後端部には、凹状の引っ掛け部７が形成されており、弾性部材２１の折り返し部２５を回転自在に係合させている。
【００１２】
次に、クリップ１１について説明する。クリップ１１の肉厚部１２には、挿入孔１８が前方に向かって形成されており、その後方には、クリップベース部２を覆うように肉薄部１３の側面に沿って下方に向けて側壁１５が形成されている。該側壁１５の両内側面には回転支持軸１６が形成されていると共に、該回転支持軸１６の前側及び上側の切欠き１７は、射出成型においてアンダーカットとならないように、クリップ１１が軸筒１に回転自在に固定されるに対して影響のない範囲で切り欠かれている。
また、クリップ１１の裏面には挿入孔１８の入口から前方に向かって伸びるガタ防止溝１９が形成されている。その溝幅は軸筒１のガタ防止凸部５の幅よりも若干大きくなしているが、軸筒１に回転可能に取り付けたクリップ１１の横方向へのガタつきを防止している。該ガタ防止溝１９のさらに前方には、クリップ１１の裏面より突出し、前記軸筒１の表面に当接する玉部１４が形成されている。
【００１３】
次に、弾性部材２１について説明する。前記クリップ１１の一端を軸筒１の表面に押し当てるための弾性部材２１は、単一の線材で第１部分２２と第２部分２３、並びに、それら第１部分２２と第２部分２３とを連結するコイル部分２４とから構成されるコイル形状を成す一対のねじりコイルバネ形状となっており、一般的には、ダブルトーションバネと呼ばれているものである。
前記弾性部材２１の第１部分２２は線材の両端部から成り、第２部分２３はコイル部２４を介して第１部分２２との間に角度Ｂを成している。該第１部分２２と該第２部分２３とのなす角度Ｂは図１（ｂ）に示した組立時の弾性部材２１の角度Ａよりも小さく（Ｂ＜Ａ）設定されている。つまり、軸筒１に組み付ける前の弾性部材２１の角度Ｂは、組み付けた後の角度Ａよりも小さく形成されている。
尚、本例においては、組み付ける前の角度Ｂを約１６０度に設定しているが、組み付けた後においては、約１７０度になっている。しかし、これに限定されることはなく、組み付ける前の角度Ｂを１００度としたり、１４５度としても良い。組み付ける前の角度を小さくすることによって、より大きなクリップの軸筒に対する付勢力が発生する。
さらに、第２部分２３の端部には折り返し部２５が形成されており、この折り返し部２５によりねじりコイルバネが繋がれ一対となり、ダブルトーションバネを構成している。
【００１４】
前記弾性部材２１はコイル部２４の内側から軸筒１の支持体４に形成された回転支持軸６に嵌め込まれている。この嵌め込みによって、弾性部材２１が回転可能に回転支持軸６に支持されていると共に、コイル部２４の外側からもクリップ１１の隔壁１５に形成された回転支持軸１６が嵌め込まれており、クリップ１１が回転可能に支持されている。つまり、クリップ１１は弾性部材２１のコイル部２４を介して軸筒１と回転可能に支持されている。
さらに、弾性部材２１の第１部分２２はクリップ１１の挿入孔１８内に配設されており、一方、第２部分２３は軸筒１に形成されたベース台３の傾斜部８に当接するように配設されている。
【００１５】
次に、組み立て方法を図５及び図６に図示し説明する。
まず、弾性部材２１の第１部分２２をクリップ１１の挿入孔１８に後方から押し入れながら、弾性部材２１を内側に撓ませ、コイル部２４を回転支持軸１６に嵌め込む（図５参照）。
次に、クリップ１１の先端を上方に傾け、クリップ１１に嵌め込んだ弾性部材２１の折り返し部２５を、後方から前方に向かって移動させると共に、支持体４の後端部に形成された引っ掛け部７に折り返し部２５を引っ掛ける（図６（ａ）参照）。
続いて、折り返し部２５を回転中心としてクリップ１１を前方に向けて倒しながらクリップ１１の裏面に形成された玉部１４を軸筒１の表面に当接させる（図６（ｂ）参照）。
さらに、クリップ１１の中央付近を上方から軸筒１に向かって押圧する。クリップ１１を上方から押圧することにより、クリップ１１の玉部１２が軸筒１の表面に当接しながら前方へ移動し、クリップ１１の側壁１３と弾性部材２１のコイル部２４が、回転支持軸６に嵌め込まれる。このとき、回転支持軸６に導入テーパ部９が形成されていることにより、クリップ１１と弾性部材２１が導入テーパ部９に沿って外側に徐々に広げられながら嵌め込むことができる（図６（ｃ）参照）。
この際、クリップ１１の中央付近を上方から軸筒１に向かって押圧し、クリップ１１の玉部１２が軸筒１の側面と当接しながら前方へ移動することで、弾性部材２１の第１部分２２と第２部分２３が押し広げられ、弾性部材２１の第１部分２２と第２部分２３とのなす角度がＢからＡへと変化する。即ち、弾性部材２１が弾性力に抗して押し広げられた状態になるのである。
【００１６】
以上のように組み立てられたクリップ取り付け構造において、弾性部材２１に第１部分２２と該第２部分２３のなす角度をＡからＢへと元に戻ろうとする力（復元力）が働く。この復元力が、クリップ１１の挿入孔１８内に配設された第１部分２２及びベース台３の傾斜部８に当接された第２部分２３が共に軸筒中心方向に付勢した力となり、クリップ１１の先端部が軸筒１に押し当てる付勢力となっている。
本構成において、弾性部材２１の第２部分２３に当接するベース台３後方の傾斜部８の軸筒１の上方向に対して後方へ角度を持たせることにより、クリップベース２を低く形成することが可能となり、見栄えを良くすることができる。
【００１７】
組み立て方法において、先に組み付けたクリップ１１と弾性部材２１は、第１部分２２を挿入孔１８に配設し、コイル部２４を回転支持軸１６に嵌め込むことによって固定されているため、先に組み付けた部材を抑える治具が不要となる。そして、さらには、弾性部材２１を嵌め込んだクリップ１１を折り返し部２５を回転中心に軸筒に嵌め込むことができるため、嵌め込み位置を確認することなく、容易にかつ確実に組み立てることができる。
また、弾性部材２１はコイル部２４の内側から軸筒１の支持体４に形成された回転支持軸６と嵌め込むことにより弾性部材２１が回転可能に支持されており、さらにコイル部２４の外側からクリップ１１の隔壁１５に形成された回転支持軸１６が嵌め込まれてクリップ１１が回転可能に支持されている。そのため、軸筒１の回転支持軸６を低くすることができ、クリップ１１及び弾性部材２１を軸筒１に組み付ける際のクリップ１１及び弾性部材２１の外側への撓みを少なくすることができるようになり、簡単に組み付けることができる。
【００１８】
次に、本発明における第２例を図７〜図１０に示し説明する。
軸筒１０１の表面には、上方向に突出したクリップベース部１０２が形成されている。該クリップベース部１０２の土台であるベース台１０３の後方にはクリップ１１１及び弾性部材１２１を支持する支持体１０４が形成されており、前方には軸筒１０１にクリップ１１１を組み付けた際のクリップ１１１の横方向への振れを防止するガタ防止凸部１０５が形成されている。また、該ベース台１０３の両側面にはクリップ１１１が回転可能に配設されるための回転支持軸１０６が形成されている。該回転支持軸１０６の頭部の上半分は、上方向に連続して突起幅を小さくした導入テーパ部１０９が設けてある。
前記ベース台１０３の回転支持軸１０６よりも後方には、弾性部材１２１の第２部分１２３が当接する傾斜部１０８が形成され、一方、ベース台１０３の前方はクリップ１１１、弾性部材１２１が軸筒１０１に配設された際に干渉しないように形成されている。
また、前記支持体１０４の後端部には、凹状の引っ掛け部１０７が形成されており、弾性部材１２１の引っ掛け部１２５を回転自在に係合させている。
【００１９】
次に、クリップ１１１について説明する。クリップ１１１の肉厚部１１２には、挿入孔１１８が前方に向かって形成されており、その後方には、クリップベース部１０２を覆うように肉薄部１１３の側面に沿って下方に向けて側壁１１５が形成されている。該側壁１１５の両内側面には回転支持孔１１６が形成されている。
また、クリップ１１１の裏面には挿入孔１１８の入口から前方に向かって伸びるガタ防止溝１１９が形成されており、その溝幅は軸筒１０１のガタ防止凸部１０５の幅よりも若干大きくなしているが、これによって、軸筒１０１に回転可能に取り付けたクリップ１１１の横方向へのガタつきを防止している。該ガタ防止溝１１９のさらに前方には、クリップ１１１の裏面より突出し、前記軸筒１０１の表面に当接する玉部１１４が形成されている。
【００２０】
次に、弾性部材１２１について説明する。前記クリップ１１１の一端を軸筒１の表面に押し当てるための弾性部材１２１は、圧延された板状で第１部分１２２と第２部分１２３、並びに、それら第１部分１２２と第２部分１２３とを連結する曲げ部１２４とから構成されており、前記第１部分１２２から第２部分１２３に掛けて貫通穴１２６が形成されている。この貫通穴１２６により引っ掛け部１２５が形成される。
また、弾性部材１２１は、曲げ部１２４を介して第１部分１２２と第２部分１２３との間に角度Ｄを成している。該第１部分１２２と該第２部分１２３とのなす角度Ｄは図７（ｂ）に示した組立時の弾性部材１２１の角度Ｃよりも小さく（Ｄ＜Ｃ）設定されている。つまり、軸筒１０１に組み付ける前の弾性部材１２１の角度Ｄは、組み付けた後の角度Ｃよりも小さく形成されている。
【００２１】
前記弾性部材１２１は、第１部分１２２がクリップ１１１の挿入孔１１８に圧入されることによりクリップ１１１に固定され、該クリップ１１１は回転支持孔１１６が軸筒１０１の回転支持軸１０６に嵌め込まれることにより、クリップ１１１が回転可能に支持されている。
また、前記弾性部材１２１の第２部分１２３は軸筒１０１に形成されたベース台１０３の傾斜部１０８に当接するように配設されている。
なお、本実施例において、クリップ１１１と弾性部材１２１の固定方法は、第１部分１２２の挿入孔１１８への圧入の他に、挿入孔１１８内で係止、挟持することも可能であり、また、圧入、係止若しくは挟持の代わりに又は圧入、係止若しくは挟持に加えて接着剤による接着をすることも可能である。
【００２２】
また、本発明の第１例に挙げた弾性部材２１は、３巻きのコイル部２４を有しているが、巻き数は任意に設定が可能であり、コイル部２４に変え、直線状の曲げ部３２４とすることも可能である（図１１参照）。
【符号の説明】
【００２３】
１  軸筒
２  クリップベース部
３  ベース台
４  支持体
５  ガタ防止凸部
６  回転支持軸
７  引っ掛け部
８  傾斜部
９  導入テーパ部
１１  クリップ
１２  肉厚部
１３  肉薄部
１４  玉部
１５  側壁
１６  回転支持軸
１７  切欠き
１８  挿入孔
１９  ガタ防止溝
２１  弾性部材
２２  第１部分
２３  第２部分
２４  コイル部
２５  折り返し部
１０１  軸筒
１０２  クリップベース部
１０３  ベース台
１０４  支持体
１０５  ガタ防止凸部
１０６  回転支持軸
１０７  引っ掛け部
１０８  傾斜部
１０９  導入テーパ部
１１１  クリップ
１１２  肉厚部
１１３  肉薄部
１１４  玉部
１１５  側壁
１１６  回転支持孔
１１８  挿入孔
１１９  ガタ防止溝
１２１  弾性部材
１２２  第１部分
１２３  第２部分
１２４  曲げ部
１２５  引っ掛け部
１２６  貫通穴
【図１】
2014148085.tif 000003
【図２】
2014148085.tif 000004
【図３】
2014148085.tif 000005
【図４】
2014148085.tif 000006
【図５】
2014148085.tif 000007
【図６】
2014148085.tif 000008
【図７】
2014148085.tif 000009
【図８】
2014148085.tif 000010
【図９】
2014148085.tif 000011
【図１０】
2014148085.tif 000012
【図１１】
2014148085.tif 000013